(57)【要約】【課題】高密度に集積でき収納したディスクメディアを高確度で認識できる簡易な構成のメディアケースおよび回路パタンシートを提供する。【解決手段】メディアケース１は、ＲＦＩＤタグ（図示せず）を付したディスクメディア５０を収納しうるものである。このメディアケース１は、その背面に形成され、メディアケース１の外部と電磁波信号を送受するアンテナ素子５１ａと、アンテナ素子５１ａからディスクメディア５０に沿って、その中央近傍を通って形成され、アンテナ素子５１ａに対して電磁波信号を表す高周波信号を導く導波線路５２ａと、この導波線路５２ａに近接して形成され高周波信号によって電磁誘導される共振素子５３ａと、を具備している。【選択図】図１
2008254759.tif 000002
【特許請求の範囲】
【請求項１】
ＲＦＩＤタグを付したディスクメディアを収納可能であり、当該ディスクメディアに対して略平行となる上面および底面、ならびに、前記上面および前記底面の間に介在する周面を有するメディアケースであって、
前記周面に所定長にわたって形成され、または、前記周面に接して前記上面または前記底面に所定長にわたって形成され、外部と電磁波信号を送受するアンテナ素子と、
前記アンテナ素子から前記ディスクメディアに沿って前記ディスクメディアの中央近傍を通って形成され、前記アンテナ素子に対して前記電磁波信号を表す高周波信号を導く導波線路と、
前記導波線路に挿入され前記高周波信号を導き、または、前記導波線路に近接して形成され前記高周波信号によって電磁誘導される共振素子と、
を具備したことを特徴とするメディアケース。
【請求項２】
ＲＦＩＤタグを付したディスクメディアを収納可能であり、当該ディスクメディアに対して略平行となる上面および底面を有するメディアケースであって、
前記上面または前記底面の周縁に所定長にわたって形成され、外部と電磁波信号を送受するアンテナ素子と、
前記アンテナ素子から前記ディスクメディアに沿って前記ディスクメディアの中央近傍を通って形成され、前記アンテナ素子に対して前記電磁波信号を表す高周波信号を導く導波線路と、
前記導波線路に挿入され前記高周波信号を導き、または、前記導波線路に近接して形成され前記高周波信号によって電磁誘導される共振素子と、
を具備したことを特徴とするメディアケース。
【請求項３】
前記周面が４つの平面からなる角型ケースであることを特徴とする請求項１に記載のメディアケース。
【請求項４】
前記ＲＦＩＤタグは前記ディスクメディアの中央近傍に付され、前記ディスクメディアを収めたとき、前記ＲＦＩＤタグが前記導波線路または前記共振素子の近傍に位置する、
ことを特徴とする請求項１または請求項２に記載のメディアケース。
【請求項５】
前記導波線路は、前記アンテナ素子の中央近傍に接続されている、
ことを特徴とする請求項１または請求項２に記載のメディアケース。
【請求項６】
前記アンテナ素子は、その端部が近接して配置される第１の素子および第２の素子からなり、
前記導波線路は、相互に平行な第１の線路および第２の線路からなり、
前記第１の線路の端部は前記第１の素子の端部に接続され、前記第２の線路の端部は前記第２の線路の端部に接続されている、
ことを特徴とする請求項１または請求項２に記載のメディアケース。
【請求項７】
前記共振素子は、前記電磁波信号の波長の２分の１の長さである、
ことを特徴とする請求項１または請求項２に記載のメディアケース。
【請求項８】
前記共振素子を複数具備した、
ことを特徴とする請求項１または請求項２に記載のメディアケース。
【請求項９】
前記導波線路と平行に延在する前記共振素子を含む、
ことを特徴とする請求項１または請求項２に記載のメディアケース。
【請求項１０】
前記導波線路と交差する方向に延在する前記共振素子を含む、
ことを特徴とする請求項１または請求項２に記載のメディアケース。
【請求項１１】
前記アンテナ素子、前記導波線路、前記共振素子の少なくとも１つは、誘電体フィルム上に形成され、当該メディアケースに付されている、
ことを特徴とする請求項１または請求項２に記載のメディアケース。
【請求項１２】
当該メディアケースの基材は、硬質プラスチックからなる、
ことを特徴とする請求項１または請求項２に記載のメディアケース。
【請求項１３】
当該メディアケースの基材は、可撓性のスリーブである、
ことを特徴とする請求項２に記載のメディアケース。
【請求項１４】
前記ディスクメディアを保持するトレイと、前記トレイを収容するボトムと、前記ボトムを開閉可能なリッドとを具備した３ピース形のメディアケースであって、
前記アンテナ素子、前記導波線路、前記共振素子の少なくとも１つは、前記トレイと前記ボトムとに挟み込まれる裏カードに形成されていることを特徴とする請求項１に記載のメディアケース。
【請求項１５】
ＲＦＩＤタグを付したディスクメディアを収納可能なケースに適用され、前記ＲＦＩＤタグと外部との信号を媒介する回路パタンシートであって、
フィルム状の誘電体シートと、
前記誘電体シートの外縁に沿って所定長にわたって形成され、前記外部と電磁波信号を送受するアンテナ素子と、
前記誘電体シート上に、前記アンテナ素子から前記ディスクメディアに沿って前記ディスクメディアの中央近傍を通って形成され、前記アンテナ素子に対して前記電磁波信号を表す高周波信号を導く導波線路と、
前記誘電体シート上に形成され、前記導波線路に挿入されて前記高周波信号を導き、または、前記導波線路に近接して前記高周波信号によって電磁誘導される共振素子と、
を具備したことを特徴とする回路パタンシート。
【請求項１６】
前記ケースに貼付可能であり、または、前記ディスクメディアとともに前記ケースに収納可能であることを特徴とする請求項１５に記載の回路パタンシート。
【発明の詳細な説明】
【技術分野】
【０００１】
本発明は、ＩＣチップに記録された情報を非接触で読取可能なＲＦＩＤ(Radio Frequency Identification)タグを付したディスクメディアを収納し、外部からこのＲＦＩＤタグを読み取れるようにしたメディアケースおよび回路パタンシートに関する。
【背景技術】
【０００２】
ディスクメディアにその内容を記載した非接触タグを付して、ディスクメディアの管理を行うことが考えられる。このようなディスクメディアは、外周近傍をはじめとする大部分がデータ記憶層を有するデータ記憶領域になっているが、中央の孔部近傍は、このディスクメディアを使用するときクランプするなどのために、データ記憶層が存在しない。この観点からは、ディスクメディアの中央の穴部近傍に非接触タグを付すことが好適である。しかし、ディスクメディアをケースに入れ、ラックに集積した状態では、ディスクメディアの外周からその中央近傍の非接触タグを読み取る必要がある。このため、読み取り距離が大きくなることと、ディスクメディアなどによって信号が減衰することから、ラックに集積した状態でディスクメディアに付した非接触タグを読み取ることが困難である問題点があった。
【０００３】
そこで、カセットテープ、ＣＤ、ＤＶＤなどの記憶媒体に、非接触タグであるコイルオンチップを設け、略円形スパイラル状に配設されたブースターを介して、収納棚の仕切り板に設けられた略Ｕ字状の読取アンテナによって、このコイルオンチップを読み取る情報記憶媒体の収納ケースが知られている（例えば、特許文献１参照）。この収納ケースの読み取りシステムでは、収納場所それぞれに対して１つずつの読取アンテナが対応している。
【特許文献１】特開２００５−３３９６６３号公報（段落［００２４］−［００３２］、図１）
【発明の開示】
【発明が解決しようとする課題】
【０００４】
しかしながら、この収納ケースを収納棚に集積する場合、読取アンテナを設けた仕切り板によって収納ケースを離間しているため、収納ケースの集積密度を上げて、省スペース化を図ることが困難であった。また、読取アンテナとリーダライタ装置とをあらかじめ接続しておかなければならないため、配線が複雑で、構成が硬直化する問題点があった。さらに、ブースターコイルおよびチップ上のオンチップコイルは、いずれもスパイラル状であって、両面スルーホール処理が必要であるなど、構造や製造工程が複雑であるうえ、読み取り方向がコイルの直角方向となるので、オンチップコイルを設けた箇所によっては、読み取りが行えない問題点があった。また、収納ケースごとに読取アンテナを設けているため、充分に収納ケースを離間して収納棚に収納する必要がある問題点があった。
【０００５】
本発明は、以上のような問題点に鑑みてなされたものであり、高密度に集積でき収納したディスクメディアを高確度で認識できる簡易な構成のメディアケースおよび回路パタンシートを提供することを課題とする。
【課題を解決するための手段】
【０００６】
前記の課題を達成するために、本発明のメディアケースは、ＲＦＩＤタグを付したディスクメディアを収納可能であり、このディスクメディアに対して略平行となる上面および底面、ならびに、上面および底面の間に介在する周面を有するメディアケースであって、周面に所定長にわたって形成され、または、周面に接して上面または底面に所定長にわたって形成され、外部と電磁波信号を送受するアンテナ素子と、アンテナ素子からディスクメディアに沿ってディスクメディアの中央近傍を通って形成され、アンテナ素子に対して電磁波信号を表す高周波信号を導く導波線路と、この導波線路に挿入され高周波信号を導き、または、この導波線路に近接して形成され高周波信号によって電磁誘導される共振素子と、を具備したことを特徴とする。
【発明の効果】
【０００７】
本発明によれば、高密度に集積でき収納したディスクメディアを高確度で認識できる簡易な構成のメディアケースおよび回路パタンシートを提供できる。
【発明を実施するための最良の形態】
【０００８】
次に、添付した各図を参照し、本発明の実施形態について詳細に説明する。
＜第１実施形態＞
図１は、本発明による第１実施形態のメディアケース１を示す斜視図である。なお、メディアケース１の基材が透明である場合について図示するが、この基材は、着色してあったり、不透明であったりしてもよい。
このメディアケース１は、内部空間にディスクメディア５０を収納し、開閉可能な容器であって、スチロール樹脂、アクリル樹脂、ポリカーボネートなどをはじめとする硬質プラスチックや、紙などの誘電体からなる。メディアケース１には、さらに、アルミニウムや銅など、高周波の良導体膜からなる回路パタン５５ａが形成されている。つまり、誘電体からなるディスクメディア５０の基材上に、導電体膜からなる回路パタン５５ａが形成されることによって、ストリップライン導波路が構成されている。回路パタン５５ａは、高周波信号に対して充分な低抵抗が得られる厚さとし、例えば、エッチングやスパッタリングによって形成するか、あるいは、金属箔を貼付して形成する。また、ＰＥＴやＰＰなどの樹脂フィルム上に、回路パタン５５ａを形成し、メディアケース１に貼付してもよい。
【０００９】
回路パタン５５ａは、外部と信号を送受するアンテナ素子５１ａと、アンテナ素子５１ａの長手方向の中央付近からディスクメディア５０の直径方向に沿って延在する導波線路５２ａと、ディスクメディア５０の中心近傍において導波線路５２ａの両側に近接して平行に形成された２本の共振素子５３ａとからなる。アンテナ素子５１ａは、メディアケース１を厚さ方向に重ねて集積したとき（つまり、後記するメディアケース１の底面と別のメディアケースの上面とが接するように重ねたとき）、見出しとなる面（背面；書籍における背表紙に相当する面）に形成されている。
【００１０】
なお、本説明において、「導波線路」とは、「回路パタン」のうち、専ら、「アンテナ素子」に対して、高周波信号（高周波電流）を低損失で送受することを意図して配置された部分を指す。ただし、後記するように、ディスクメディア５０に付されたＲＦＩＤタグ（図示せず）が導波線路に近接しているときは、この導波線路を通じてＲＦＩＤタグが読み取られる。したがって、「導波線路」は、高周波信号（高周波電流）の伝送方向にわたって、線路としての諸特性（特性インピーダンスなど）がほぼ一定となるように形成されている。具体的には、導波線路５２ａは、単一線路であって、同一幅でほぼ直線的に形成されているため、伝送方向に沿って、線路としての諸特性（特性インピーダンスなど）が実質的に均一（含む均一）である。また、図６などを参照して後記する導波線路５２ｂは、導波線路５２ａと同様な線路を平行（含む略平行）に配置して２本１組で用いた平衡線路（balanced line）を成し、線路としての諸特性がさらに良好になっている。これらの導波線路（５２ａ，５２ｂ）に共振素子（５３ａなど）を近接して配置したり、ディスクメディア５０上のＲＦＩＤタグ（後記）が近接したりすると、これらの影響を受け、線路の特性の均一性が部分的に若干変化するが、この場合も、線路そのものの配置や形状を全体的に判断し、導波線路（５２ａ，５２ｂ）として取り扱うものとする。
【００１１】
また、本説明において、「共振素子」とは、「回路パタン」の一部であって、おおよそ次の２つに分類できる。第１は、共振素子５２ａのように、導波線路５２ａや他の共振素子とは導体同士が導通していないが、導波線路または他の共振素子に流れる高周波信号（高周波電流）によって電磁的に誘導を受け、高周波信号が導かれるものである。第２は、図８を参照して後記する共振素子５３ｃや図１０〜図１３を参照して後記する共振部５３ｄ，５３ｅ，５３ｆ，５３ｇのように、導波線路と電気的に導通するように挿入され、導波線路に流れる高周波信号を電気的に導くものである。
【００１２】
第１の共振素子は、導体が分離して形成されているため、容易に導波線路と区別できる。
第２の共振素子は、屈曲したり分岐したりした形状を含んでいるため、屈曲部や分岐部などを境に、高周波信号に対する特性が大きく変化している。しかし、導波線路は、その形状からも分かるとおり、均一な特性（特性インピーダンスなど）を有している。したがって、導波線路を辿り、屈曲部や分岐部などを見出せば、導波線路である部分と共振素子である部分とを区別できる。無論、回路パタンに電磁波を照射して、その動作を測定器（図示せず）で測定することによって、実験的に導波線路と共振素子との境界を求めてもよい。
【００１３】
図１に戻り、ディスクメディア５０は、例えば光ディスクまたは光磁気ディスクなど、薄板状のデータの記憶媒体であって、その形状は、典型的には中央部に外縁と同心円状の穴部を有する円盤状である。一例を挙げると、ディスクメディア５０は、コンパクトディスク、ＤＶＤ（Digital Versatile Disc）などであって、書き換え不能なもの、追記可能なもの、書き換え可能なもののいずれでもよい。ディスクメディア５０の外周部には、アルミニウム薄膜や色素などからなるデータ記憶層（図示せず）が配設されている。ただし、ディスクメディア５０の穴部近傍は、ディスクメディア５０をクランプするなどのため、データ記憶層が存在していない。そこで、データ記憶層を避けて、ディスクメディア５０の穴部近傍に、ＲＦＩＤタグ（図示せず）を付す。
【００１４】
このＲＦＩＤタグ（図示せず）は、典型的には、金属膜からなるダイポールエレメントにＬ字形のスリットを設けてインピーダンスマッチング用のスタブを形成したタグアンテナとし、この箇所（スタブ側、および、スリットを挟んでスタブの対岸側）を給電点として、ミューチップ（登録商標）などの送受信機能、電力抽出機能、演算制御機能、不揮発性記憶機能などを有するＲＦＩＤ用のチップを接続したものである（いずれも図示せず）。この構成により、チップのキャパシタンス分がスタブのインダクタンス分で相殺されてチップ側とアンテナ側とのインピーダンスが整合されるため、送受信される信号の損失が抑えられる。このため、送受する信号に対して完全に同調する長さよりも実際の長さを短くした短縮形のタグアンテナを用いても、充分な通信性能が得られる。こうして、タグアンテナの全長（すなわち、ＲＦＩＤタグの全長）を短くし、データ記憶層を避けて、ディスクメディア５０の穴部近傍に、ＲＦＩＤタグ（図示せず）を形成することが可能になる。このほか、ＲＦＩＤタグ（図示せず）として、チップ上にアンテナコイルを形成したものなど、前記と同様の機能を有する他の素子を用いてもよい。このＲＦＩＤタグは、クランプなどのための領域のいずれかに位置するが、本実施形態の構成によれば、ディスクメディア５０がどの向きになっていても（つまり、穴部を中心としてどの方向に回された状態であっても）、ＲＦＩＤタグは、読み取り可能領域でカバーされる。
【００１５】
図２は、ディスクメディア管理システム１００の構成例を示す説明図である。
このディスクメディア管理システム１００は、ディスクメディア５０（図１参照）を収納可能な多数のメディアケース１と、ディスクメディア５０に形成したＲＦＩＤタグ（図示せず）を読み取り可能な読取装置６０とからなる。メディアケース１は、ディスクメディア５０を収納したものと、収納しないもののいずれがあってもよい。
【００１６】
この図に示すように、多数のメディアケース１を集積した場合、読取装置６０のアンテナ６２から送出される電磁波は、ディスクメディア５０の中央近傍に至るまでにほとんどが減衰し、たとえ中央近傍に到達しても、ＲＦＩＤタグ（図示せず）からの返信波は、ディスクメディア５０などによって減衰してしまうので、読取装置６０によってディスクメディア５０の中央近傍に付されたＲＦＩＤタグ（図示せず）を直接読み取ることは実質的にできない。
【００１７】
そこで、本実施形態のメディアケース１によれば、読取装置６０の本体６１から出力された高周波電流は、アンテナ６２からの電磁波として放射され、アンテナ素子５１ａによって受けられて高周波電流となり、導波線路５２ａにも、この高周波電流が流れる。さらに、導波線路５２ａに流れる高周波電流に誘導されて、共振素子５３ａにも高周波電流が流れる。読取装置６０と電磁波を直接に送受するのは主にアンテナ素子５１ａであるが、その高周波電流によって共振するのは、回路パタン５５ａ全体である。したがって、回路パタン５５ａのいずれかの部分の近傍にＲＦＩＤタグ（図示せず）があれば、このＲＦＩＤタグを外部の読取装置６０から読み取ることができる。特に、ディスクメディア５０の中央近傍には、導波線路５２ａが通るほか、この中央近傍をカバーするように、２つの共振素子５３ａが形成されているので、アンテナ素子５１ａを通じて、ディスクメディア５０に付されたＲＦＩＤタグを高確度で読み取ることができる。
【００１８】
図３（ａ）は、ジュエルケース型のメディアケース１ａを示す斜視図である。
このメディアケース１ａは、Ｐケース（プラスチック製のケースの総称）の一形式であってジュエルケースと称され、例えば、音楽の著作物の流通用および保管用として、総収録時間の長いもの（アルバムなど）を収納するため、そのほか用途を問わず一般的に用いられている。メディアケース１ａは、ボトム（サラ部）７１ａと、ボトム７１ａ内に嵌め込まれディスクメディア５０を保持する機能を有するトレイ（ディスク保持部）７３ａと、ボトム７１ａの蓋に相当し蝶番状に開閉するリッド（フタ部）７２ａとからなる３ピース構造である。ボトム７１ａとトレイ７３ａとの間には、通常、ディスクメディア５０の内容を示す印刷が施されたフラップつきのカードである裏カード（バック・イン・レイ、バックカバー；図示せず）が挟み込まれている。
【００１９】
図３（ｂ）は、このメディアケース１ａのリッド７２ａを半開にした状態を示す説明図である。この図は、図３（ａ）に示す矢印Ａの向きにメディアケース１ａを見たものである。
この図に示すように、このメディアケース１ａでは、ボトム７１ａとトレイ７３ａとの間の、通常、裏カード（図示せず）が挟み込まれる位置に、回路パタン５５ａが形成されている。この場合、裏カード（図示せず）の裏側（または、トレイ７３ａの裏カードに接する側）に回路パタン５５ａを形成すれば、回路パタン５５ａが目立たず、裏カードに印刷された図柄や文字などが隠蔽されることが防止される。回路パタン５５ａは、裏カードの裏面または表面のいずれに形成してもよい。また、ボトム７１ａまたはリッド７２ａの外表面、リッド７２ａの内表面、あるいは、リッド７２ａの内側に差し込まれる表カード（いわゆるジャケット；図示せず）に、回路パタン５５ａを形成してもよい。
【００２０】
図４（ａ）は、マキシケース型のメディアケース１ｂを示す斜視図である。
このメディアケース１ｂは、Ｐケースの一形式のものであってマキシケースと称され、薄型で安価であり、例えば、音楽の著作物の流通用および保管用として、総収録時間の短いもの（いわゆるマキシシングル；１２ｃｍシングル）を収納するため、そのほか用途を問わず用いられている。メディアケース１ｂは、ボトム７１ｂと、ボトム７１ｂの蓋に相当し蝶番状に開閉するリッド７２ｂとからなる２ピース構造である。
【００２１】
図４（ｂ）は、このメディアケース１ｂのリッド７２ｂを半開にした状態を示す説明図である。この図は、図４（ａ）に示す矢印Ａの向きにメディアケース１ｂを見たものである。
この図に示すように、このメディアケース１ｂでは、ボトム７１ａ側には通常カードは入れないので、リッド７２ｂの、通常、表カード（図示せず）が挟み込まれる位置に、回路パタン５５ａが形成されている。この場合、リッド７２ｂの全面にわたって回路パタン５５ａを形成できる。また、表カード（図示せず）の裏側に回路パタン５５ａを形成すれば、回路パタン５５ａが外側から目立たず、表カードに印刷された図柄や文字などが隠蔽されることが防止される。前記と同様に、表カードの裏または表のいずれの面に回路パタン５５ａを形成してもよい。
【００２２】
本説明において、図３（ａ）および図４（ａ）に例示するように、メディアケース１ａ，１ｂのボトム７１ａ，７１ｂの側の面を底面とし、リッド７２ａ，７２ｂの側を上面とする。そして、前記したように、ボトム７１ａ，７１ｂと、リッド７２ａ，７２ｂとを開閉させる蝶番機構のある側の面が背面（見出し面）となるが、この面と対向する面を背面として構成することも可能である。背面など、上面および底面の間に介在する面を周面と称する。
【００２３】
なお、本発明による各実施形態において、ディスクメディア５０が直径１２ｃｍのＣＤまたはＤＶＤである場合、形成するパタンの幅を、例えば２ｍｍとし、パタン間の最小間隔を、例えば４ｍｍとするが、収納するメディアの種類（すなわち、ケースの大きさ）やＲＦＩＤタグ（図示せず）の読み取り状態などを勘案して、これらの寸法を変えてもよい。
【００２４】
また、本実施形態では、アンテナ素子５１ａはメディアケース１の見出しとなる面に設置するとしたが、これに限定されるものではなく、アンテナ素子５１ａを、見出しとなる面以外の周面に設置し、開閉可能なメディアケース１を閉じることで、アンテナ素子５１ａと導波線路５２ａとが接続されるようにしてもよい。
【００２５】
以降、他の実施形態について説明するが、特段説明する事項のほかは、第１実施形態と同様の構成でよいため、重複する説明を省略する。
＜第２実施形態＞
図５は、本発明による第２実施形態のメディアケース２を示す斜視図である。
このメディアケース２は、アンテナ素子５１ａをメディアケース１（図１参照）の背面に形成する代わりに、フタ部またはサラ部となる平板部分において、背面に隣接した位置に形成したものであって、他の構成は、第１実施形態のメディアケース１（図１参照）と同様でよい。
【００２６】
第２実施形態のメディアケース２によれば、アンテナ素子５１ａが背面に隣接しているので、第１実施形態のメディアケース１とほぼ同様の効果が得られる。また、アンテナ素子５１ａ、導波線路５２ａおよび共振素子５３ａを同一平面に形成すればよいので、これらの形成がより容易に行える。さらに、メディアケース２の背面ラベル（裏カードの背面に当たる折り曲げ部）に印刷した図柄や文字が隠されないで済む。
【００２７】
＜第３実施形態＞
図６は、本発明による第３実施形態のメディアケース３を示す透視平面図である。
このメディアケース３には、その背面または背面に形成され、その端部がわずかな間隔をおいて配置され、ダイポールアンテナを構成する２つのアンテナ素子５１ｂと、このダイポールアンテナの給電部となるアンテナ素子５１ｂの２つの近隣部から、ディスクメディア５０の直径方向に沿って平行に延在する２つの導波線路５２ｂと、ディスクメディア５０の中央近傍に、これらの２つの導波線路５２ｂと所定間隔をおいて平行に形成された４つ（２対）の共振素子５３ａとが形成されている。
【００２８】
アンテナ素子５１ｂの長さＬ１は、送受する周波数の電磁波の波長λから、例えば、Ｌ１＝（１／２）λとする。また、共振素子５３ａの長さＬ２は、例えば、Ｌ２＝（１／２）λである。導波線路５２ｂの長さは、少なくともディスクメディア５０の中央近傍に達する長さ、より好ましくは中央近傍を通過する長さとし、アンテナ素子５１ｂおよび共振素子５３ａの特性を考慮して決定するとよい。なお、本説明において、アンテナ素子５１ｂや共振素子５３ａをはじめとするパタンの電気長は、送受する電磁波の波長λにより表すが、これらパタンの物理長は、パタンが形成される基材の材質などによって定まる波長短縮率を勘案して決定される。
【００２９】
第３実施形態のメディアケース３によれば、２つのアンテナ素子５１ｂが１波長ダイポールアンテナとして動作し、２つの導波線路５２ｂがコプレーナ線路として動作するので、電磁的信号の減衰が少なくなり、通信距離を伸ばすことができる。また、４つ（２対）の共振素子５３ａが形成されているので、ＲＦＩＤタグ（図示せず）を読み取り可能な範囲を拡げることができる。
【００３０】
＜第４実施形態＞
図７は、本発明による第４実施形態のメディアケース４を示す透視平面図である。
このメディアケース４は、共振素子５３ａ（図６参照）の代わりに、４つのＬ字形の共振素子５３ｂを、ディスクメディア５０の中央部近傍に対称的に形成したほかは、第３実施形態のメディアケース３（図６参照）と同様の構成である。より詳細には、共振素子５３ｂの一方の辺は、導波線路５２ｂが延在する方向に形成された他の共振素子５３ｂの一辺と平行に近接している。そして、この共振素子５３ｂの他方の辺は、２つの導波線路５２ｂを挟んで、別の共振素子５３ｂの一方の辺と平行である。共振素子５３ｂの一辺の長さＬ３は、例えば、Ｌ３＝（１／４）λである。
【００３１】
第４実施形態のメディアケース４によれば、Ｌ字形に屈曲した共振素子５３ｂが形成されているため、ＲＦＩＤタグ（図示せず）を読み取り可能な範囲を拡げることができるとともに、ＲＦＩＤタグのアンテナ（図示せず）の向きに拘わらず安定して読み取りを行うことができる。
【００３２】
＜第５実施形態＞
図８は、本発明による第５実施形態のメディアケース５を示す透視平面図である。
このメディアケース５は、共振素子５３ａ（図６参照）の代わりに、６つ（３対）の共振素子５３ｃを、所定間隔をおき、ディスクメディア５０の中央部近傍をカバーするように、３つずつ一端を導波線路５２ｂに接続するように導波線路５２ｂと直角に（アンテナ素子５１ｂと平行に）形成したほかは、第３実施形態のメディアケース３（図６参照）と同様の構成である。共振素子５３ｃの長さＬ４は、例えば、Ｌ４＝（１／４）λである。
【００３３】
第５実施形態のメディアケース５によれば、導波線路５２ｂと直角に複数の共振素子５３ｃが形成されているため、ＲＦＩＤタグ（図示せず）を読み取り可能な範囲を拡げることができるとともに、ＲＦＩＤタグのアンテナ（図示せず）の向きに拘わらず安定して読み取りを行うことができる。
【００３４】
＜第６実施形態＞
図９は、本発明による第６実施形態のメディアケース６を示す透視平面図である。
このメディアケース６は、第２実施形態のメディアケース２（図５参照）において、２つ（１対）の共振素子５３ａに加えて、さらに２つ（１対）の同じ長さの共振素子５３ａを相互に平行に形成して、合計４つ（２対）の共振素子５３ａを有する構成である。共振素子５３ａの長さＬ２は、いずれも、例えば、Ｌ２＝（１／２）λである。また、アンテナ素子５１ａの長さＬ５は、例えば、Ｌ５＝（１／２）λである。
【００３５】
第６実施形態のメディアケース６によれば、４つ（２対）の共振素子５３ａが形成されているため、ＲＦＩＤタグ（図示せず）を読み取り可能な範囲を拡げることができる。
【００３６】
＜第７実施形態＞
図１０は、本発明による第７実施形態のメディアケース７を示す透視平面図である。
このメディアケース７は、第２実施形態のメディアケース２（図５参照）において、２つ（１対）の共振素子５３ａを取り除き、ディスクメディア５０の中央近傍を通る導波線路５２ｄの中途に、ディスクメディア５０の中央穴近傍を一周する略円形の共振部５３ｄを形成した構成を有する。共振部５３ｄの直径Ｌ６は、例えば、ディスクメディア５０の中心穴より若干大きくし、できるだけＲＦＩＤタグ（図示せず）をカバーする大きさに設定する。
【００３７】
第７実施形態のメディアケース７によれば、略円形の共振部５３ｄを有しているため、ディスクメディア５０の中心穴近傍に付されたＲＦＩＤタグがどの位置に回転されていても、前記した各実施形態と同様に、このＲＦＩＤタグを高確度で読み取ることができる。
【００３８】
＜第８実施形態＞
図１１は、本発明による第８実施形態のメディアケース８を示す透視平面図である。
このメディアケース８は、第７実施形態のメディアケース７（図１０参照）において、アンテナ素子５１ａの代わりに、２つのアンテナ素子５１ｂからなるダイポールアンテナと、これに接続されディスクメディア５０の直径方向に延在する２つの導波線路５２ｃと、これらの２つの導波線路５２ｃの中途であって、ディスクメディア５０の中央穴近傍を２つ（１対）でほぼ一周し略円形状を呈する２つの共振部５３ｅとが形成されている。共振部５３ｅの直径Ｌ６は、第７実施形態の場合と同様に決定すればよい。
【００３９】
第８実施形態のメディアケース８によれば、略円形の共振部５３ｅを有しているため、ディスクメディア５０の中心穴近傍に付されたＲＦＩＤタグを高確度で読み取ることができる。さらに、２つのアンテナ素子５１ｂによってダイポールアンテナが形成され、２つの導波線路５２ｃによってコプレーナ線路が形成されているため、送受する信号の損失を少なくし、通信能力を向上できる。
【００４０】
＜第９実施形態＞
図１２は、本発明による第９実施形態のメディアケース９を示す透視平面図である。
このメディアケース９は、第７実施形態のメディアケース７（図１０参照）を変形したものであって、導波線路５２ｄ（図１０参照）に相当する導波線路５２ｅの中途に、共振部５３ｄ（図１０参照）の代わりに、共振部５３ｆを挿入して形成した構成である。共振部５３ｆは、一続きの線路からなり、ディスクメディア５０の中心穴近傍をカバーするように、つづら折り状に形成されている。この共振部５３ｆの導波線路５２ｅに沿った寸法Ｌ７は、ディスクメディア５０の中心穴近傍をカバーする程度の長さとする。
【００４１】
第９実施形態のメディアケース９によれば、つづら折り状の共振部５３ｆを有しているため、ディスクメディア５０の中心穴近傍に付されたＲＦＩＤタグがどの位置に回転して収納されていても、このＲＦＩＤタグを高確度で読み取ることができる。
【００４２】
＜第１０実施形態＞
図１３は、本発明による第１０実施形態のメディアケース１０を示す透視平面図である。
このメディアケース１０は、第８実施形態のメディアケース８（図１１参照）を変形したものであって、導波線路５２ｃ（図１１参照）に相当する導波線路５２ｆの中途に、共振部５３ｅ（図１１参照）の代わりに、それぞれ共振部５３ｇを挿入して形成した構成を有する。ひとつの共振部５３ｇは、一続きの線路からなり、２つの共振部５３ｇでディスクメディア５０の中心穴近傍をカバーするように、つづら折り状に形成されている。この共振部５３ｇの導波線路５２ｆに沿った寸法Ｌ７は、第９実施形態と同様に決定すればよい。
【００４３】
第１０実施形態のメディアケース１０によれば、２つのつづら折り状の共振部５３ｇを有しているため、ディスクメディア５０の中心穴近傍に付されたＲＦＩＤタグを高確度で読み取ることができる。さらに、２つのアンテナ素子５１ｂによってダイポールアンテナが形成され、２つの導波線路５２ｆによってコプレーナ線路が形成されているため、送受する信号の損失を少なくし、通信能力を向上できる。
【００４４】
＜第１１実施形態＞
図１４（ａ）は、本発明による第１１実施形態のメディアケース１１を示す斜視図である。
このメディアケース１１は、ごく薄いプラスチック製の透明シートと、内容物を傷つけないためのアクリル繊維などの不織布とを組み合わせて袋状にした保管袋７４（一般に、ＣＤスリーブなどと称されるもので、典型的には可撓性のもの）と、ＰＥＴやＰＰ製のシートに回路パタン５５を形成した回路パタンシート５６とからなる。回路パタン５５は、前記した第２実施形態〜第１０実施形態に示したもののうち、いずれも適用できるが、他のパタンを適用してもよい。
【００４５】
図１４（ｂ）は、このメディアケース１１を示す断面図である。
このメディアケース１１は、保管袋７４の収納口に、元々の収納物であるディスクメディア５０とともに、回路パタンシート５６を重ねた構成を有する。回路パタンシート５６は、ディスクメディア５０とともに保管袋７４に単に投入してもよいし、保管袋７４に接着材などで固着してもよい。
【００４６】
図１５は、このメディアケース１１（図１４参照）を示す組み立て図である。
図１５（ｂ）に示すように、あらかじめディスクメディア５０を保管袋７４に入れておき、図１５（ａ）に示す回路パタンシート５６を挿入して、ディスクメディア５０入りのメディアケース１１を製造する。または、空の保管袋７４に回路パタンシート５６を挿入して、メディアケース１１を製造してから、ディスクメディア５０を挿入してもよい。
【００４７】
なお、回路パタンシート５６の挿入方向に直角な方向の寸法は、保管袋７４の開口部の内寸より若干小さくし、回路パタンシート５６が円滑に挿入できるとともに、挿入後に回路パタンシート５６が大きく動くことなくＲＦＩＤタグ（図示せず）が高確度で読み取れるようにする。また、回路パタンシート５６の挿入方向の寸法は、保管袋７４の奥行きの内寸よりも、若干大きくすることが好ましい。この構成によれば、回路パタンシート５６のアンテナ素子部分が若干、保管袋７４から突出するので、外部との信号の送受がより良好に行われる。
【００４８】
図１６は、収納箱７５に多数のメディアケース１１を収納したメディアケース収納体７６を示す斜視図である。
本実施形態のメディアケース１１の厚さは、通常の保管袋７４に回路パタンシート５６の厚さを加えたものである。しかし、回路パタンシート５６自体はディスクメディア５０と比較して無視できる程度に非常に薄いので、通常の保管袋７４と同様に取り扱うことができ、同一の寸法の収納箱７５に、ほぼ同じ枚数を収納することができる。
【００４９】
＜第１２実施形態＞
図１７（ａ）は、本発明による第１２実施形態のメディアケース１２を示す斜視図である。
このメディアケース１２は、保管袋７４に、直接、回路パタン５５を形成したものである。回路パタン５５は、スパッタリングによったり、金属箔を貼り付けたりなど、いずれの方法で形成してもよい。
【００５０】
図１７（ｂ）は、メディアケース１２の第１構成例を示す断面図である。
このメディアケース１２は、保管袋７４の外面に回路パタン５５を形成したものである。
図１７（ｃ）は、メディアケース１２の第２構成例を示す断面図である。
このメディアケース１２は、保管袋７４の内面に回路パタン５５を形成したものである。
このように、回路パタン５５は、保管袋７４の外面または内面のいずれに形成してもよい。
このメディアケース１２では、回路パタン５５の導体膜の厚さは実用上無視できる。このため、このメディアケース１２は、通常の保管袋７４と同一枚数を収納箱７５に保管できる。
【００５１】
図１８は、本発明による第１２実施形態のメディアケース１２の別の製造例を示す組み立て図である。
まず、図１８（ａ）に示す回路パタンシート５６を用意し、図１８（ｂ）に示す保管袋７４に貼付して、図１８（ｃ）に示すメディアケース１２を製造する。
【産業上の利用可能性】
【００５２】
本発明のメディアケースの技術は、光ディスクや光磁気ディスクのほか、磁気テープをはじめとする磁気記憶媒体など、他の物品を収納するためのケースにも好適に応用できる。
【図面の簡単な説明】
【００５３】
【図１】本発明による第１実施形態のメディアケースを示す斜視図である。
【図２】ディスクメディア管理システムの構成例を示す説明図である。
【図３】（ａ）は、ジュエルケース型のメディアケースを示す斜視図であり、（ｂ）は、このメディアケースのリッドを半開にした状態を示す説明図である。
【図４】（ａ）は、マキシケース型のメディアケースを示す斜視図であり、（ｂ）は、このメディアケースのリッドを半開にした状態を示す説明図である。
【図５】本発明による第２実施形態のメディアケースを示す斜視図である。
【図６】本発明による第３実施形態のメディアケースを示す透視平面図である。
【図７】本発明による第４実施形態のメディアケースを示す透視平面図である。
【図８】本発明による第５実施形態のメディアケースを示す透視平面図である。
【図９】本発明による第６実施形態のメディアケースを示す透視平面図である。
【図１０】本発明による第７実施形態のメディアケースを示す透視平面図である。
【図１１】本発明による第８実施形態のメディアケースを示す透視平面図である。
【図１２】本発明による第９実施形態のメディアケースを示す透視平面図である。
【図１３】本発明による第１０実施形態のメディアケースを示す透視平面図である。
【図１４】（ａ）は、本発明による第１１実施形態のメディアケースを示す斜視図であり、（ｂ）は、このメディアケースを示す断面図である。
【図１５】本発明による第１１実施形態のメディアケースを示す組み立て図である。
【図１６】収納箱に多数のメディアケースを収納したメディアケース収納体を示す斜視図である。
【図１７】（ａ）は、本発明による第１２実施形態のメディアケースを示す斜視図であり、（ｂ）は、このメディアケースの第１構成例を示す断面図であり、（ｃ）は、このメディアケースの第２構成例を示す断面図である。
【図１８】本発明による第１２実施形態のメディアケースの別の製造例を示す組み立て図である。
【符号の説明】
【００５４】
１，１ａ，１ｂ    メディアケース（第１実施形態）
２〜１２    メディアケース（第２〜第１２実施形態）
５０    ディスクメディア
５１ａ，５１ｂ  アンテナ素子
５２ａ〜５２ｆ  導波線路
５３ａ〜５３ｃ  共振素子
５３ｄ〜５３ｇ  共振部
５５，５５ａ  回路パタン
５６    回路パタンシート
６０    読取装置
６２    アンテナ
７１ａ，７１ｂ  ボトム
７２ａ，７２ｂ  リッド
７３ａ  トレイ
７４    保管袋
７５    収納箱
７６    メディアケース収納体
１００  ディスクメディア管理システム
【図１】
2008254759.tif 000003
【図２】
2008254759.tif 000004
【図３】
2008254759.tif 000005
【図４】
2008254759.tif 000006
【図５】
2008254759.tif 000007
【図６】
2008254759.tif 000008
【図７】
2008254759.tif 000009
【図８】
2008254759.tif 000010
【図９】
2008254759.tif 000011
【図１０】
2008254759.tif 000012
【図１１】
2008254759.tif 000013
【図１２】
2008254759.tif 000014
【図１３】
2008254759.tif 000015
【図１４】
2008254759.tif 000016
【図１５】
2008254759.tif 000017
【図１６】
2008254759.tif 000018
【図１７】
2008254759.tif 000019
【図１８】
2008254759.tif 000020